(57)【要約】【課題】  組電池を小型にする。【解決手段】  複数の単電池を直列に接続してなる筒状の電池モジュールの軸方向中途部の外周に取り付けられ、互いに隣接する複数の前記電池モジュール間の隙間を確保するとともに各電池モジュールの軸方向を互いに平行にして整列させる保持部材５０であって、前記電池モジュールを保持する環状の２つの保持部５３，５４が連結されてなり、連結された保持部５３，５４は保持される複数の前記電池モジュールを跨ぐ形状の２つの保持体５１，５２に分割する３つの分割部７０を備え、互いに隣接する保持部５３，５４間の分割部７０を結合するアーム７３を備える。【選択図】    図９
2006351363.tif 000002
【特許請求の範囲】
【請求項１】
複数の単電池を直列に接続してなる筒状の電池モジュールの軸方向中途部の外周に取り付けられ、互いに隣接する複数の前記電池モジュール間の隙間を確保するとともに各電池モジュールの軸方向を互いに平行にして整列させる保持部材であって、
前記電池モジュールを保持する環状の保持部が複数連結されてなり、連結された複数の前記保持部は保持される複数の前記電池モジュールを跨ぐ形状の複数の保持体に分割する複数の分割部を備え、互いに隣接する前記保持部間の分割部を結合する結合手段を備えることを特徴とする保持部材。
【請求項２】
前記電池モジュールは単電池間に絶縁リングを備え、前記絶縁リングは前記単電池の外周を包囲する筒部の外周面に突起を備えていて、
前記保持部の内面には前記絶縁リングの前記突起と嵌合する嵌合部が設けられ、互いに隣接する保持部の前記嵌合部同士が電池モジュールの軸方向に位置をずらして配置されていることを特徴とする請求項１に記載の保持部材。
【請求項３】
前記結合手段は、前記分割部により分割された一方の前記保持体の軸方向端部から他方の前記保持体の外面に沿って延出する係合片と、前記他方の保持体の軸方向端部に設けられ前記係合片と係合する係合受部とから構成されることを特徴とする請求項１または請求項２に記載の保持部材。
【請求項４】
請求項１から請求項３のいずれか１項に記載の保持部の外周面同士を面当接させて複数の前記保持部材を積み重ねた状態に配列することにより、複数の電池モジュールをその軸方向から見て千鳥に整列したことを特徴とする組電池。
【発明の詳細な説明】
【技術分野】
【０００１】
この発明は、複数の電池モジュールを整列させてなる組電池と、電池モジュールの外周に取り付けられる保持部材に関するものである。
【背景技術】
【０００２】
組電池には、複数の単電池を直列接続してなる円筒状の電池モジュールをフレーム内に千鳥状に積み重ねて構成されたものがある（例えば、特許文献１参照）。この組電池においては、電池モジュールの外周に断面多角形状の環状の保持部材を電池モジュールの軸方向所定間隔で取り付け、隣接する電池モジュールの保持部材の外面同士を面当接させて、千鳥状に積み重ねている。
【特許文献１】特開２００３−３０８８１６号公報
【発明の開示】
【発明が解決しようとする課題】
【０００３】
ところで、従来の前記保持部材は環状をなしており、保持部材に電池モジュールを貫通させることで保持部材を電池モジュールに取り付けているため、保持部材を弾性体で形成して弾性変形を利用して装着しなければ、電池モジュールと保持部材とをガタ付きなく組むことができず、装着作業が面倒であった。また、保持部材の材料選択の自由度が小さかった。
そこで、この発明は、電池モジュールへの装着が容易で、材料選択の自由度が大きく、組電池の小型化が可能な保持部材を提供するものである。
【課題を解決するための手段】
【０００４】
上記課題を解決するために、請求項１に係る発明は、複数の単電池（例えば、後述する実施例における単電池１１）を直列に接続してなる筒状の電池モジュール（例えば、後述する実施例における電池モジュール１０）の軸方向中途部の外周に取り付けられ、互いに隣接する複数の前記電池モジュール間の隙間を確保するとともに各電池モジュールの軸方向を互いに平行にして整列させる保持部材（例えば、後述する実施例におけるグロメット５０）であって、前記電池モジュールを保持する環状の保持部（例えば、後述する実施例における保持部５３，５４）が複数連結されてなり、連結された複数の前記保持部は保持される複数の前記電池モジュールを跨ぐ形状の複数の保持体（例えば、後述する実施例における保持体５１，５２）に分割する複数の分割部（例えば、後述する実施例における分割部７０）を備え、互いに隣接する前記保持部間の分割部を結合する結合手段（例えば、後述する実施例における連結面６２、アーム７３）を備えることを特徴とする保持部材である。
このように構成することにより、１つの保持部材で複数の電池モジュールを整列させて保持することができる。保持部材が複数の電池モジュールを跨ぐ形状をなす複数の保持体に分割されているので、保持部材を電池モジュールに容易に取り付けることが可能になる。また、保持部材は弾性を有しなくてもよくなるので、保持部材の材料選定の自由度が広がる。分割された保持体は保持部間の分割部を結合する結合手段によって結合されるので、保持部材における電池モジュールの整列方向の寸法を小さくすることができる。
【０００５】
請求項２に係る発明は、請求項１に記載の発明において、前記電池モジュールは単電池間に絶縁リング（例えば、後述する実施例における絶縁リング３０Ａ）を備え、前記絶縁リングは前記単電池の外周を包囲する筒部（例えば、後述する実施例における筒部３２）の外周面に突起（例えば、後述する実施例における突起３４）を備えていて、前記保持部の内面には前記絶縁リングの前記突起と嵌合する嵌合部（例えば、後述する実施例における溝５９）が設けられ、互いに隣接する保持部の前記嵌合部同士が電池モジュールの軸方向に位置をずらして配置されていることを特徴とする。
このように構成することにより、絶縁リングの突起を保持部材の嵌合部に嵌合することにより、保持部材の電池モジュールに対する軸方向の位置決めを精度よく行うことができる。しかも、互いに隣接する保持部の嵌合部同士が電池モジュールの軸方向に位置をずらして配置されているので、保持部間の分割部の肉厚を薄くすることができる。
【０００６】
請求項３に係る発明は、請求項１または請求項２に記載の発明において、前記結合手段は、前記分割部により分割された一方の前記保持体の軸方向端部から他方の前記保持体の外面に沿って延出する係合片（例えば、後述する実施例におけるアーム７３）と、前記他方の保持体の軸方向端部に設けられ前記係合片と係合する係合受部（例えば、後述する実施例における連結面６２）とから構成されることを特徴とする。
このように構成することにより、保持部材における電池モジュールの整列方向の寸法を小さくすることができる。
【０００７】
請求項４に係る発明は、請求項１から請求項３のいずれか１項に記載の保持部の外周面（例えば、後述する実施例における外周面６０）同士を面当接させて複数の前記保持部材を積み重ねた状態に配列することにより、複数の電池モジュールをその軸方向から見て千鳥に整列したことを特徴とする組電池（例えば、後述する実施例における組電池１）である。
このように構成することにより、電池モジュールを千鳥に配列した組電池を容易に組み立てることができるとともに、組電池の小型化が可能になる。
【発明の効果】
【０００８】
請求項１に係る発明によれば、１つの保持部材で複数の電池モジュールを整列させて保持することができるので、生産性が向上する。保持部材が複数の保持体に分割されていて、保持部材を電池モジュールに容易に取り付けることが可能になるので、生産性が向上する。また、弾性を有しない材料で保持部材を形成することが可能になるので、保持部材の材料選定の自由度が広がる。分割された保持体は保持部間の分割部を結合する結合手段によって結合されるので、保持部材における電池モジュールの整列方向の寸法を小さくすることができ、組電池の小型化が可能になる。
【０００９】
請求項２に係る発明によれば、絶縁リングの突起を保持部材の嵌合部に嵌合することにより、保持部材の電池モジュールに対する軸方向の位置決めを精度よく行うことができるので、電池モジュールの保持部材同士を確実且つ容易に積み重ねることができ、組電池の組み立てが容易になる。
また、互いに隣接する保持部の嵌合部同士を電池モジュールの軸方向に位置をずらして配置したことにより、保持部間の分割部の肉厚を薄くすることができるので、電池モジュールを接近させて配列することができる。その結果、組電池の小型化が可能になる。
【００１０】
請求項３に係る発明によれば、保持部材における電池モジュールの整列方向の寸法を小さくすることができるので、組電池の小型化が可能になる。
請求項４に係る発明によれば、電池モジュールを千鳥に配列した組電池を容易に組み立てることができるとともに、組電池の小型化が可能になる。
【発明を実施するための最良の形態】
【００１１】
以下、この発明に係る組電池の実施例を図１から図１２の図面を参照して説明する。
図１は電池ボックス２内に多数（この実施例では２２本）の電池モジュール１０がその軸方向を互いに平行にして収容された組電池１の概略正面図である。この組電池１では、図２に示すように予め電池モジュール１０を２本ずつグロメット（保持部材）５０によって束ねて電池モジュールユニット９０に組み立てておき、互いに隣接する電池モジュールユニット９０のグロメット５０の外面同士を面当接するように積み重ねることにより、各電池モジュール１０の軸方向を互いに平行にして整列させ、隣接する電池モジュール１０，１０間に一定の隙間を確保し、電池モジュール１０をその軸方向から見て千鳥に配列させている。なお、この組電池１では、２２本全ての電池モジュール１０，１０・・・が直列に接続される
なお、電池ボックス２は底板３と側板４と蓋板５を備え、底板３には最下段の電池モジュール１０のグロメット５０を受ける受け部材６が設けられ、蓋板５には最上段の電池モジュール１０のグロメット５０を押さえる押さえ部材７が設けられており、受け部材６の上面６ａおよび押さえ部材７の下面７ａは整列したグロメット５０の外面に合わせた波形に形成されている。
【００１２】
初めに、グロメット５０によって束ねられる前の電池モジュール１０について、図３および図４の図面を参照して説明する。
図３に示すように、電池モジュール１０は複数（この実施例では６本）の円筒状の単電池１１を直列に直線状に接続して構成されている。隣り合う２つの単電池１１，１１は接続リング２０によって電気的に且つ機械的に接続されており、接続リング２０とこの接続リング２０によって接続された一方の単電池１１との間には絶縁リング３０Ａまたは３０Ｂが取り付けられている。絶縁リング３０Ａと絶縁リング３０Ｂとの相違点は外周面の突起３４の有無だけであり、基本的に絶縁リング３０Ａ，３０Ｂは交互に配置されている。詳述すると、電池モジュール１０の軸方向中央に配置された絶縁リングは突起３４を有さない絶縁リング３０Ｂにされており、その両隣に配置された絶縁リングは突起３４を有する絶縁リング３０Ａにされており、さらにその隣に配置された絶縁リングは突起３４を有さない絶縁リング３０Ｂにされている。
【００１３】
図４は絶縁リング３０Ａが配置された部位における単電池接続部の断面図であり、図５は絶縁リング３０Ａの斜視図である。一方の単電池１１の陰極１２と他方の単電池１１の陽極１３を接続する接続リング２０は、陰極１２の外周面に嵌合する大径筒部２１と、陽極１３の端板部１４に当接するフランジ部２２と、大径筒部２１とフランジ部２２とを接続する段部２３とを備え、大径筒部２１が陰極１２の外周面にスポット溶接され、フランジ部２２が端板部１４にスポット溶接されることによって、この２つの単電池１１，１１を電気的に接続するとともに機械的に分離不能に接続している。なお、フランジ部２２の中央には孔２４が形成されており、この孔２４に陽極１３の端子１５が挿入されている。
【００１４】
絶縁リング３０Ａは筒状をなし、接続リング２０の段部２３と前記他方の単電池１１との間に挿入される環状の端板部３１と、前記他方の単電池１１の陽極１３側の端部外周を包囲する筒部３２と、端板部３１の内周縁から折り返して筒部３２と同方向に延びる折り返し部３３と、筒部３２の外周に周方向所定間隔に設けられた多数の半球状の突起３４とから構成されており、絶縁リング３０Ａの筒部３２の厚みは接続リング２０の大径筒部２１の厚みよりも大きい。
絶縁リング３０Ａは接続リング２０を単電池１１，１１にスポット溶接する前に前記他方の単電池１１の陽極１３側に被せたものであり、折り返し部３３の先端は陽極１３の端板部１４に突き当てられている。この絶縁リング３０Ａにより、２つの単電池１１，１１間の短絡を確実に防止することができる。
絶縁リング３０Ｂは筒部３２の外周に突起３４を有しない以外は絶縁リング３０Ａと全く同じ構成であるので説明を省略する。なお、電池モジュール１０の端部に配置されて陽極１３の端子１５が露出する単電池１１の陽極１３側の外周にも、突起３４を有さない絶縁リング３０Ｂが取り付けられている。
【００１５】
このように構成された電池モジュール１０においては、複数の電池モジュール１０を平板上に並べて置いたりしたときに、任意の電池モジュール１０の絶縁リング３０Ａの突起３４が該電池モジュール１０に隣接する他の電池モジュール１０の外周面に当接して、この２つの電池モジュール１０，１０間に所定の隙間を確保するので、電池モジュール１０，１０間の短絡を確実に防止することができる。また、突起３４は半球状をなしているので滑り易く、突起３４が隣接する電池モジュール１０の外周面やその他の部材に引っ掛かることがないので、搬送時等において電池モジュール１０が取り扱い易くなり、傷付き難くなる。
さらに、この実施例では電池モジュール１０に対する絶縁性を高めるために、電池モジュール１０の外周にその全長に亘って熱収縮性樹脂フィルムからなる絶縁フィルム４０（図１１参照）が被覆されている。ただし、絶縁フィルム４０はなくてもよい。
【００１６】
次に、電池モジュールユニット９０について図２、図６〜図１１を参照して説明する。なお、図２、図６、図７を参照しての電池モジュールユニット９０の説明では、２本の電池モジュールのうち一方を電池モジュール１０Ａ、他方を電池モジュール１０Ｂとして区別する。
図６はグロメット５０を取り外した状態における電池モジュールユニット９０の平面図であり、２本の電池モジュール１０Ａ，１０Ｂはそれぞれ電極の向きを逆にして配列されている。詳述すると、電池モジュール１０Ａは図６において右端部が陽極１３で左端部が陰極１２になっており、電池モジュール１０Ｂは図６における右端部が陰極１２で左端部が陽極１３になっている。
電池モジュール１０Ａの陽極１３と電池モジュール１０Ｂの陰極１２はバスバー９１によって電気的に接続され且つ機械的に連結されており、電池モジュール１０Ａの陰極１２には陰極用ソケット９２が取り付けられ、電池モジュール１０Ｂの陽極１３には陽極用ソケット９３が取り付けられている。
また、この２本の電池モジュール１０Ａ，１０Ｂは、電池モジュール１０Ａにおける絶縁リング３０Ａの突起３４と電池モジュール１０Ｂにおける絶縁リング３０Ａの突起３４とを、電池モジュール１０Ａ，１０Ｂの軸方向に所定寸法ずらして配列されている。
【００１７】
そして、図７に示すように、電池モジュール１０Ａと電池モジュール１０Ｂは、バスバー９１の上から被せられたカバー９４と、ソケット９２，９３の上から被せられたキャップ９５と、電池モジュール１０Ａ，１０Ｂの軸方向中途部に架け渡された２つのグロメット５０，５０によって、軸方向を互いに平行にし、両電池モジュール１０，１０間に所定の隙間を確保して連結されている。
グロメット５０は電池モジュール１０Ａ，１０Ｂの絶縁リング３０Ａが配置された部位にのみ取り付けられており、絶縁リング３０Ｂが配置されている部位には装着されていない。
【００１８】
グロメット５０は硬質樹脂製で、図９に示すように２つの保持体５１，５２からなり、これら保持体５１，５２を結合すると図８に示すように２つの環状の保持部５３，５４が形成されるようになっている。
まず、保持体５１，５２が連結された状態でグロメット５０を説明する。各保持部５３，５４には、軸方向の一端側と他端側で内径を異にする断面円形の貫通孔５５が設けられている。貫通孔５５は、その軸方向一端寄りに段部５６を有し、段部５６よりも一端側は小径部５７にされ、他端側は大径部５８にされている。但し、保持部５３の貫通孔５５と保持部５４の貫通孔５５では、内径の縮径する方向が逆にされている。つまり、保持部５３の小径部５７と保持部５４の大径部５８がグロメット５０の軸方向一端側に並んで配置されており、保持部５３の大径部５８と保持部５４の小径部５７がグロメット５０の軸方向他端側に並んで配置されている。なお、グロメット５０の軸方向とは、装着される電池モジュール１０の軸方向と同一方向である。
【００１９】
また、大径部５８の内周面の軸方向略中央には断面略半円形の溝（嵌合部）５９が全周に亘って環状に設けられている。溝５９は絶縁フィルム４０を被せられた絶縁リング３０Ａの突起３４が嵌合可能な大きさに形成されており、貫通孔５５に電池モジュール１０を装着させたときに絶縁リング３０Ａの突起３４と対向するように形成されている。但し、保持部５３における溝５９と保持部５４における溝５９は、グロメット５０の軸方向に互いに位置をずらして設けられている。
【００２０】
保持部５３，５４は、グロメット５０の軸方向に対して直交する断面形状が略正十二角形をなし、１２辺のうちの１つの辺を共有するような形で両保持部５３，５４が繋がっており、仮想十二角形の各辺に対応する面６１ａ、６１ｂと、保持部５３，５４が繋がる部分に形成された２つの連結面６２とによって保持部５３，５４の外周面６０が構成されている。
【００２１】
面６１ａは平坦面に形成されているが、面６１ｂは平坦面に１対のフィン６３，６３が突設されている。フィン６３はグロメット５０の軸方向から見て台形状をなし、互いに該軸方向に所定寸法離間して設けられている。
図１０に示すようにグロメット５０を２つの貫通孔５５，５５が水平に並ぶように置いたときに、鉛直方向上下に位置する面はフィン６３を有する面６１ｂとなっており、この面よりも内側に位置するグロメット５０の外周面６０はフィンを有しない面６１ａで構成され、外側に位置するグロメット５０の外周面６０はフィンを有しない面６１ａとフィン６３を有する面６１ｂが交互に配置されて構成されている。したがって、グロメット５０の最外側に位置する面はフィンを有しない面６１ａで構成されている。
【００２２】
連結面６２は、保持部５３，５４の両方の軸中心を含む面と平行をなし、保持部５３の面６１ａと保持部５４の面６１ａとを接続している。連結面６２には１対のリブ６４，６４が、互いにグロメット５０の軸方向に所定寸法離間して設けられている。リブ６４，６４の離間寸法は、その間に面６１ｂに設けられた１対のフィン６３，６３がほぼ隙間なく挿入可能な大きさに設定されており、リブ６４の高さ寸法はフィン６３の高さ寸法に等しいかまたは若干大きくされている。
【００２３】
２つの保持体５１，５２は、保持部５３，５４を３つの分割部７０で径方向に二等分割したように構成されており、いずれの保持体５１，５２も保持すべき２本の電池モジュール１０，１０を跨ぐ形状をなしている。
保持体５２における３つの分割部７０の分割面には、中央の分割面を含む２つの分割面に係合突起７１が設けられ、残る１つの分割面に係合穴７２が設けられており、保持体５１における３つの分割部７０の分割面には、保持体５２の係合突起７１あるいは係合穴７２に係合する係合穴あるいは係合突起が設けられている。この係合突起と係合穴の係合により、保持体５１，５２を結合したときに保持部５３，５４の各溝５９，５９が環状に繋がるように、保持体５１，５２の位置決めが行われる。
【００２４】
また、保持体５１において保持部５３，５４の間に位置する分割部７０には、グロメット５０の軸方向の各端部から保持体５２に接近する方向に保持体５２の外面に沿って直線的に延びるアーム７３，７３が設けられている。各アーム７３の先端にはグロメット５０の軸方向内側に突出する係止突起７４が形成されている。係止突起７４の下面７４ａはテーパ面になっていて、保持体５２から分離されている保持体５１を図９において矢印で示すように保持体５２に突き合わせていく過程で、下面７４ａが保持体５２の中央の分割部７０の角部７５に案内されることによりアーム７３の先端側を弾性的に広げる機能を有し、係止突起７４が保持体５２の連結面６２から突き出ると、広げられていたアーム７３の先端側が弾性復帰してすぼまり、図８に示すように係止突起７４が保持体５２の連結面６２に係合して、保持体５１，５２は結合され不離一体となる。
なお、この実施例においては、アーム７３は結合手段の係合片を構成し、保持体５２の連結面６２は結合手段の係合受部を構成する。
【００２５】
ここで、２本の電池モジュール１０，１０をグロメット５０によって連結する手順を説明する。
まず、アーム７３がない方の保持体５２に電池モジュール１０Ａ，１０Ｂを配置する。このとき、保持体５２における保持部５３の溝５９に電池モジュール１０Ａの絶縁リング３０Ａの突起３４を嵌合し、保持体５２における保持部５４の溝５９に電池モジュール１０Ｂの絶縁リング３０Ａの突起３４を嵌合する。このように配置したときに、保持体５２の保持部５３，５４において、接続リング２０の大径筒部２１の先端部が段部５６に位置する（図１１参照）。
この後、電池モジュール１０Ａ，１０Ｂを跨がせるようにして保持体５２の上方に、アーム７３を有する保持体５１を配置し、前述したようにアーム７３を弾性変形させながら保持体５１を下方に押し込み、アーム７３の係止突起７４を保持体５２の連結面６２に係合させる。すると、保持体５１における保持部５３の溝５９に電池モジュール１０Ａの絶縁リング３０Ａの突起３４が嵌合し、保持体５１における保持部５４の溝５９に電池モジュール１０Ｂの絶縁リング３０Ａの突起３４が嵌合する。なお、図１１は一方の保持部における断面を示している。
【００２６】
このようにグロメット５０の保持部５３の溝５９に電池モジュール１０Ａの絶縁リング３０Ａの突起７４が嵌合することにより、電池モジュール１０Ａの軸方向に対するグロメット５０の位置決めが高精度に行われ、同時にグロメット５０の軸方向移動が阻止される。同様に、グロメット５０の保持部５４の溝５９に電池モジュール１０Ｂの絶縁リング３０Ａの突起７４が嵌合することにより、電池モジュール１０Ｂの軸方向に対するグロメット５０の位置決めが高精度に行われ、同時にグロメット５０の軸方向移動が阻止される。そして、グロメット５０は、電池モジュール１０Ａ，１０Ｂの接続リング２０と絶縁リング３０Ａを包囲する。
【００２７】
図１に示す電池ボックス２における電池モジュールユニット９０の配列では、図中、最下段の一番左側に位置する電池モジュール１０と下から２段目の一番左側に位置する電池モジュール１０が１つの電池モジュールユニット９０に組み込まれている。また、下から２段目の左側から２番目に位置する電池モジュール１０と下から３段目の一番左側に位置する電池モジュール１０が１つの電池モジュールユニット９０に組み込まれている。それ以外の総ての電池モジュール１０は、互いに水平方向で隣接する電池モジュール１０，１０同士がそれぞれ電池モジュールユニット９０に組み込まれている。なお、図１に示す電池モジュールユニット９０の配列方法は一例であり、この配列方法に限定されるものではない。
【００２８】
そして、隣接する電池モジュールユニット９０，９０は、グロメット５０の保持部５３，５４における外周面６０のうちフィン６３が設けられていない面６１ａ，６１ａ同士を面接触させて整列され、積み重ねられている。さらに、任意の上下２段の電池モジュールユニット９０，９０に着目すると、下段の電池モジュールユニット９０におけるグロメット５０のリブ６４，６４の上に上段の電池モジュールユニット９０におけるグロメット５０のフィン６３を有する面６１ｂが配置され、リブ６４，６４の間にフィン６３，６３が隙間なく挿入されている。
前述したようにグロメット５０が電池モジュール１０の軸方向に対して高精度に位置決めされているので、図１に示すように多数の電池モジュールユニット９０を積み重ねていき組電池１を組み立てていくときに、フィン６３，６３を確実にリブ６４，６４間に挿入することができるようになり、多数の電池モジュール１０を極めて容易に千鳥配列することができるようになる。また、互いに隣接する電池モジュールユニット９０，９０を電池モジュール１０の軸方向に対して高精度に位置決めすることができ、且つ、軸方向の相対移動を規制することができる。
【００２９】
この実施例のグロメット５０によれば、１つのグロメット５０で２本の電池モジュール１０，１０を整列させて保持することができるので、生産性が向上する。グロメット５０が２本の電池モジュール１０，１０を跨ぐ形状をなす２つの保持体５１，５２に分割されているので、グロメット５０を電池モジュール１０，１０に容易に取り付けることができ、生産性が向上する。グロメット５０は、アーム７３の弾性さえ確保できれば他の部位については弾性を有さなくてもよいので、材料選定の自由度が広がる。
【００３０】
また、グロメット５０において保持体５１，５２を結合するアーム７３およびアーム７３の係合突起７４に係合する連結面６２が、保持部５３，５４の間の分割部７０に設けられ、且つ、アーム７３がグロメット５０の軸方向外側に突出して設けられているので、図１０に示すようにグロメット５０における電池モジュール１０，１０の整列方向の寸法Ｌ１を小さくすることができ、電池モジュールユニット９０を小型にすることができる。また、図１０に示すように、２つのグロメット５０，５０を水平に配列するときにグロメット５０の面６１ａ同士を面当接させて配列することができるので、隣接する電池モジュール１０，１０のピッチＬ２を小さくすることができる。その結果、組電池１を小型にすることができる。
【００３１】
また、保持部５３における溝５９と保持部５４における溝５９が、グロメット５０の軸方向に互いに位置をずらして配置されているので、保持部５３，５４間の分割部７０の肉厚を薄くすることができる。その結果、グロメット５０によって保持される２つの電池モジュール１０，１０を接近させて配列することができるので、電池モジュールユニット９０を小型にすることができ、ひいては組電池１を小型にすることができる。
【００３２】
なお、グロメットによって束ねられる電池モジュール１０の数は２本に限られるものではなく、３本以上であってもよい。図１２は、３本の電池モジュール１０をグロメット１００によって束ねた電池モジュールユニット１１０の例である。このグロメット１００の場合には、３つの保持部１０３，１０４，１０５を径方向に二分割する２つの保持体１０１，１０２から構成されている。
【００３３】
図１３および図１４は比較例を示したものである。図１３に示す比較例のグロメット５００のように、保持体５１０，５２０を連結する雌雄の連結手段５５０，５６０を電池モジュールの整列方向外側に設けると、グロメット５００における電池モジュールの整列方向の寸法Ｌ３が実施例のグロメット５０の寸法Ｌ１よりも大きくなる。また、比較例のグロメット５００のように保持部５３０，５４０の溝５９０，５９０を軸方向同一位置に並べて配置すると、保持部５３０，５４０間の分割部５７０の肉厚が厚くなってしまい、やはりグロメット５００における電池モジュールの整列方向の寸法Ｌ３が実施例のグロメット５０の寸法Ｌ１よりも大きくなる。その結果、図１４に示すようにグロメット５００，５００を接触させて配列したときに隣接する電池モジュール間のピッチＬ４が大きくなり、組電池が大型化する。
【００３４】
〔他の実施例〕
なお、この発明は前述した実施例に限られるものではない。
前述した実施例では、絶縁リング３０Ａの突起３４に対する嵌合部を環状の溝５９で構成したが、環状の溝５９に代えて、突起３４に対応する位置に周方向所定間隔に設けた半球状の穴で構成することも可能である。
前述した実施例では突起３４を有する絶縁リング３０Ａと突起３４を有しない絶縁リング３０Ｂを使い分けたが、全ての絶縁リングを突起３４を有する絶縁リング３０Ａとすることも可能である。その場合には、全ての絶縁リング３０Ａの外周にグロメット５０を取り付けてもよいし、一部の絶縁リング３０Ａの外周にだけグロメット５０を取り付けてもよい。
【図面の簡単な説明】
【００３５】
【図１】この発明に係る組電池の一実施例における概略正面図である。
【図２】前記実施例における電池モジュールユニットの外観斜視図である。
【図３】前記実施例における電池モジュールの外観斜視図である。
【図４】前記電池モジュールにおける単電池接続部の断面図である。
【図５】前記実施例における絶縁リングの外観斜視図である。
【図６】前記実施例においてグロメット装着前の前記電池モジュールユニットの平面図である。
【図７】前記実施例においてグロメット装着後の前記電池モジュールユニットの平面図である。
【図８】前記実施例におけるグロメットの外観斜視図である。
【図９】前記実施例におけるグロメットの分解斜視図である。
【図１０】前記実施例におけるグロメットを２つ水平に配列したときの正面図である。
【図１１】前記実施例の電池モジュールユニットにおけるグロメット装着部の断面図である。
【図１２】他の実施例における電池モジュールユニットの外観斜視図である。
【図１３】比較例におけるグロメットの分解斜視図である。
【図１４】前記比較例におけるグロメットを２つ水平に配列したときの正面図である。
【符号の説明】
【００３６】
１  組電池
１０  電池モジュール
１１  単電池
２０  接続リング
３０Ａ  絶縁リング
３２  筒部
３４  突起
５０  グロメット（保持部材）
５１，５２  保持体
５３，５４  保持部
５９  溝（嵌合部）
６０  外周面
６２  連結面（係合受部、結合手段）
７０  分割部
７３  アーム（係合片、結合手段）
【図１】
2006351363.tif 000003
【図２】
2006351363.tif 000004
【図３】
2006351363.tif 000005
【図４】
2006351363.tif 000006
【図５】
2006351363.tif 000007
【図６】
2006351363.tif 000008
【図７】
2006351363.tif 000009
【図８】
2006351363.tif 000010
【図９】
2006351363.tif 000011
【図１０】
2006351363.tif 000012
【図１１】
2006351363.tif 000013
【図１２】
2006351363.tif 000014
【図１３】
2006351363.tif 000015
【図１４】
2006351363.tif 000016